(57)【要約】【課題】携帯型情報機器において、正当な使用者が日常的に使用しているときには、正当な使用者であることを示すための操作を必要とせずに、簡素な操作によって情報を出力でき、かつ、置き忘れや紛失をしたときには、正当な使用者でない第三者によって情報が出力されるのを防止できるようにする。【解決手段】携帯型情報機器は、不操作状態が規定時間以上継続した後においては（＃２でＹＥＳ）、照合フラグをＯＮ（情報を出力するのにパスワードの照合を必要とする状態）に設定する（＃３）。そして、携帯型情報機器は、使用者によって情報出力操作がなされると（＃４でＹＥＳ）、照合フラグがＯＮに設定されていれば（＃５でＹＥＳ）、使用者にパスワードの入力を要求し（＃７）、その後に使用者によって入力されるパスワードを照合して（＃８）、入力されたパスワードが正当なパスワードであれば（＃９でＹＥＳ）、情報を読出して出力する（＃１０）。【選択図】図３
2008228222.tif 000002
【特許請求の範囲】
【請求項１】
情報を入力するための情報入力手段と、情報が記憶される情報記憶手段と、情報を出力するための情報出力手段と、本機器を使用するために使用者により操作される操作手段と、使用者による前記操作手段の操作を受けて本機器の動作を制御する制御手段とを備え、
前記制御手段は、前記情報記憶手段に記憶されている情報を前記情報出力手段に出力する情報出力制御手段を有し、
前記情報入力手段は、少なくとも画像を撮像するための画像撮像手段を含み、前記情報出力手段は、少なくとも画像を表示するための画像表示手段を含み、前記情報出力制御手段は、少なくとも前記画像撮像手段により撮像されて前記情報記憶手段に記憶されている画像を前記画像表示手段に表示し、使用者に携帯されて使用される携帯型情報機器において、
前記情報出力制御手段は、前記操作手段が操作されない不操作状態が規定時間以上継続すると、それ以降において、前記情報記憶手段に記憶されている情報が正当な使用者以外によって前記情報出力手段に出力されるのを防止する情報保護機能を実行する情報保護制御手段を有し、
前記制御手段は、
使用者による前記操作手段の操作を受けて、前記規定時間を設定する規定時間設定手段と、
使用者による前記操作手段の操作を受けて、前記情報保護機能を働かせない状態又は働かせる状態に設定する機能設定手段と、
使用者による前記操作手段の操作を受けて、本機器の正当な使用者を識別するためのパスワードを設定するパスワード設定手段と、をさらに有し、
前記情報出力制御手段は、
前記機能設定手段により前記情報保護機能を働かせない状態に設定されている場合には、前記情報保護制御手段による前記情報保護機能を実行せずに、前記操作手段が操作されない不操作状態の継続時間に関わらず、使用者によって前記操作手段により情報を出力するための操作がなされると、パスワードの照合を行うことなく、前記情報記憶手段に記憶されている情報を前記情報出力手段に出力し、
前記機能設定手段により前記情報保護機能を働かせる状態に設定されている場合には、前記情報保護制御手段による前記情報保護機能を実行し、
前記情報保護制御手段は、
前記操作手段が操作されない不操作状態が前記規定時間設定手段により設定されている規定時間以上継続する前においては、前記情報記憶手段に記憶されている情報を前記情報出力手段に出力するのにパスワードの照合を必要としない状態にし、使用者によって前記操作手段により情報を出力するための操作がなされると、パスワードの照合を行うことなく、前記情報記憶手段に記憶されている情報を前記情報出力手段に出力し、
前記操作手段が操作されない不操作状態が前記規定時間設定手段により設定されている規定時間以上継続した後においては、
前記情報記憶手段に記憶されている情報を前記情報出力手段に出力するのにパスワードの照合を必要とする状態にし、
使用者によって前記操作手段により情報を出力するための操作がなされると、前記情報出力手段により使用者にパスワードを入力するように促し、
その後、使用者によって前記操作手段により入力されたパスワードを、前記パスワード設定手段により設定されているパスワードと照合して、該入力されたパスワードが正当なパスワードであるか否かを判断し、
該入力されたパスワードが正当なパスワードでなければ、前記情報記憶手段に記憶されている情報を前記情報出力手段に出力せず、
該入力されたパスワードが正当なパスワードであれば、前記情報記憶手段に記憶されている情報を前記情報出力手段に出力すると共に、その後、再度前記操作手段が操作されない不操作状態が前記規定時間以上継続するまでは、前記情報記憶手段に記憶されている情報を前記情報出力手段に出力するのにパスワードの照合を必要としない状態にする、
ことを特徴とする携帯型情報機器。
【請求項２】
情報が記憶される情報記憶手段と、情報を出力するための情報出力手段と、本機器を使用するために使用者により操作される操作手段と、使用者による前記操作手段の操作を受けて本機器の動作を制御する制御手段とを備え、
前記制御手段は、前記情報記憶手段に記憶されている情報を前記情報出力手段に出力する情報出力制御手段を有し、使用者に携帯されて使用される携帯型情報機器において、
前記情報出力制御手段は、前記操作手段が操作されない不操作状態が規定時間以上継続すると、それ以降において、前記情報記憶手段に記憶されている情報が正当な使用者以外によって前記情報出力手段に出力されるのを防止する情報保護機能を実行する情報保護制御手段を有し、
前記情報保護制御手段は、
前記操作手段が操作されない不操作状態が前記規定時間以上継続する前においては、前記情報記憶手段に記憶されている情報を前記情報出力手段に出力するのにパスワードの照合を必要としない状態にし、
前記操作手段が操作されない不操作状態が前記規定時間以上継続した後においては、前記情報記憶手段に記憶されている情報を前記情報出力手段に出力するのにパスワードの照合を必要とする状態にする、
ことを特徴とする携帯型情報機器。
【請求項３】
前記制御手段は、使用者による前記操作手段の操作を受けて、前記規定時間を設定する規定時間設定手段をさらに有する、
ことを特徴とする請求項２に記載の携帯型情報機器。
【発明の詳細な説明】
【技術分野】
【０００１】
本発明は、使用者に携帯されて使用され、少なくとも文書、画像、音声のいずれかによる情報が記憶され、その記憶された情報が使用者の操作によって出力される携帯型情報機器に関するものである。
【背景技術】
【０００２】
従来から、携帯型情報機器の一種である携帯電話機は、使用者に携帯されて使用され、無線通信による音声通話を行えるようになっている。また、携帯電話機は、無線通信による音声通話に加え、電子メールの送受信や画像の撮像を行えるようになっているものもある。このような携帯電話機においては、送受信した電子メールや撮像した画像などの情報が携帯電話機に記憶され、それら記憶された情報が使用者の操作によって再生出力できるようになっている。また、通話した音声の録音も行えるようになっており、録音された音声の情報も使用者の操作によって再生出力できるようになっている。
【０００３】
また、携帯型情報機器の一種であるデジタルスチルカメラにおいて、デジタルスチルカメラとは別体のカード型送信器からデジタルスチルカメラに認証信号を無線で送信し、デジタルスチルカメラで受信した認証信号を基に、デジタルカメラに記憶されている撮影画像の再生を許可／禁止するようにしたものが知られている（例えば特許文献１参照）。また、デジタルスチルカメラにおいて、所定のキー操作（電源オフ状態からの電源キーとシャッタキーの同時操作）がなされると、それ以前に記憶されている全ての撮影画像の再生を一括して禁止するようにしたものが知られている（例えば特許文献２参照）。また、デジタルスチルカメラにおいて、電源投入時にパスワードの入力を受け付け、正当なパスワードが入力された場合に、使用を許可するようにしたものが知られている（例えば特許文献３参照）。
【特許文献１】特開２００６−１８０１４０号公報
【特許文献２】特開２００５−１２４１８号公報
【特許文献３】特開２００１−１６４９７号公報
【発明の開示】
【発明が解決しようとする課題】
【０００４】
ところで、上述した従来の携帯電話機は、使用者に携帯されるものであるため、外出先で置き忘れや紛失をすることがあり、そのような場合には、携帯電話機に記憶されている送受信した電子メール、撮像した画像、録音した音声などの情報が第三者によって出力される虞がある。
【０００５】
そこで、このような携帯電話機において、携帯電話機に記憶されている情報を出力するときにパスワードの照合を行うようにし、正当なパスワードが入力されたときに、記憶されている情報を出力すると共に、正当なパスワードが入力されなかったときには、記憶されている情報を出力しないようにする構成が考えられる。このような構成にすれば、正当なパスワードを知らない第三者は、携帯電話機から情報を出力することができず、従って、正当な使用者が外出先で携帯電話機を置き忘れや紛失をしたとしても、正当な使用者でない第三者によって携帯電話機から情報が出力されるのを防止することができる。
【０００６】
しかしながら、このような構成では、正当な使用者が携帯電話機から情報を出力しようとする都度、パスワードを入力しなければならなくなり、使い勝手の悪いものとなってしまう。なお、上述した特許文献１乃至特許文献３に開示の内容を適用したとしても、上記の課題を解決することはできない。
【０００７】
本発明は、上記課題を解決するためになされたものであり、正当な使用者が日常的に使用しているときには、正当な使用者であることを示すための操作を必要とせずに、簡素な操作によって情報を出力でき、かつ、置き忘れや紛失をしたときには、正当な使用者でない第三者によって情報が出力されるのを防止することができる携帯型情報機器を提供することを目的とする。
【課題を解決するための手段】
【０００８】
上記目的を達成するために請求項１の発明は、情報を入力するための情報入力手段と、情報が記憶される情報記憶手段と、情報を出力するための情報出力手段と、本機器を使用するために使用者により操作される操作手段と、使用者による操作手段の操作を受けて本機器の動作を制御する制御手段とを備え、制御手段は、情報記憶手段に記憶されている情報を情報出力手段に出力する情報出力制御手段を有し、情報入力手段は、少なくとも画像を撮像するための画像撮像手段を含み、情報出力手段は、少なくとも画像を表示するための画像表示手段を含み、情報出力制御手段は、少なくとも画像撮像手段により撮像されて情報記憶手段に記憶されている画像を画像表示手段に表示し、使用者に携帯されて使用される携帯型情報機器において、情報出力制御手段は、操作手段が操作されない不操作状態が規定時間以上継続すると、それ以降において、情報記憶手段に記憶されている情報が正当な使用者以外によって情報出力手段に出力されるのを防止する情報保護機能を実行する情報保護制御手段を有し、制御手段は、使用者による操作手段の操作を受けて、規定時間を設定する規定時間設定手段と、使用者による操作手段の操作を受けて、情報保護機能を働かせない状態又は働かせる状態に設定する機能設定手段と、使用者による操作手段の操作を受けて、本機器の正当な使用者を識別するためのパスワードを設定するパスワード設定手段と、をさらに有し、情報出力制御手段は、機能設定手段により情報保護機能を働かせない状態に設定されている場合には、情報保護制御手段による情報保護機能を実行せずに、操作手段が操作されない不操作状態の継続時間に関わらず、使用者によって操作手段により情報を出力するための操作がなされると、パスワードの照合を行うことなく、情報記憶手段に記憶されている情報を情報出力手段に出力し、機能設定手段により情報保護機能を働かせる状態に設定されている場合には、情報保護制御手段による情報保護機能を実行し、情報保護制御手段は、操作手段が操作されない不操作状態が規定時間設定手段により設定されている規定時間以上継続する前においては、情報記憶手段に記憶されている情報を情報出力手段に出力するのにパスワードの照合を必要としない状態にし、使用者によって操作手段により情報を出力するための操作がなされると、パスワードの照合を行うことなく、情報記憶手段に記憶されている情報を情報出力手段に出力し、操作手段が操作されない不操作状態が規定時間設定手段により設定されている規定時間以上継続した後においては、情報記憶手段に記憶されている情報を情報出力手段に出力するのにパスワードの照合を必要とする状態にし、使用者によって操作手段により情報を出力するための操作がなされると、情報出力手段により使用者にパスワードを入力するように促し、その後、使用者によって操作手段により入力されたパスワードを、パスワード設定手段により設定されているパスワードと照合して、該入力されたパスワードが正当なパスワードであるか否かを判断し、該入力されたパスワードが正当なパスワードでなければ、情報記憶手段に記憶されている情報を情報出力手段に出力せず、該入力されたパスワードが正当なパスワードであれば、情報記憶手段に記憶されている情報を情報出力手段に出力すると共に、その後、再度操作手段が操作されない不操作状態が規定時間以上継続するまでは、情報記憶手段に記憶されている情報を情報出力手段に出力するのにパスワードの照合を必要としない状態にするものである。
【０００９】
請求項２の発明は、情報が記憶される情報記憶手段と、情報を出力するための情報出力手段と、本機器を使用するために使用者により操作される操作手段と、使用者による操作手段の操作を受けて本機器の動作を制御する制御手段とを備え、制御手段は、情報記憶手段に記憶されている情報を情報出力手段に出力する情報出力制御手段を有し、使用者に携帯されて使用される携帯型情報機器において、情報出力制御手段は、操作手段が操作されない不操作状態が規定時間以上継続すると、それ以降において、情報記憶手段に記憶されている情報が正当な使用者以外によって情報出力手段に出力されるのを防止する情報保護機能を実行する情報保護制御手段を有し、情報保護制御手段は、操作手段が操作されない不操作状態が規定時間以上継続する前においては、情報記憶手段に記憶されている情報を情報出力手段に出力するのにパスワードの照合を必要としない状態にし、操作手段が操作されない不操作状態が規定時間以上継続した後においては、情報記憶手段に記憶されている情報を情報出力手段に出力するのにパスワードの照合を必要とする状態にするものである。
【００１０】
請求項３の発明は、請求項２に記載の携帯型情報機器において、制御手段は、使用者による操作手段の操作を受けて、規定時間を設定する規定時間設定手段をさらに有するものである。
【発明の効果】
【００１１】
請求項１の発明によれば、情報保護機能を働かせる状態に設定されていれば、不操作状態が規定時間（例えば２４時間）以上継続する前においては、情報を出力するのにパスワードの照合を必要とせず、従って、正当な使用者が日常的に使用している状況では、正当な使用者は、パスワードの入力（正当な使用者であることを示すための操作）を行うことなく、情報を出力することができ、一方、不操作状態が規定時間以上継続した後においては、情報を出力するのにパスワードの照合を必要とし、従って、置き忘れや紛失をして不操作状態が規定時間以上継続した状況では、正当なパスワードを知らない（正当な使用者でない）第三者は、情報を出力することができない。つまり、使用者が情報保護機能を働かせる状態に設定しておけば、正当な使用者が日常的に使用しているときには、正当な使用者であることを示すための操作を必要とせずに、簡素な操作によって情報を出力することができ、かつ、置き忘れや紛失をしたときには、正当な使用者でない第三者によって情報が出力されるのを防止することができる。これにより、正当な使用者の使い勝手を悪くすることなく、正当な使用者でない第三者によって情報が出力されるのを防止することができ、利便性が向上する。しかも、規定時間は使用者によって設定されるため、各使用者の携帯型情報機器の日常的な操作頻度（使用頻度）に応じて規定時間を適切に設定することができ、より利便性が向上する。さらに、使用者によって情報保護機能を働かせない状態に設定することもでき、より利便性が向上する。
【００１２】
請求項２の発明によれば、不操作状態が規定時間（例えば２４時間）以上継続する前においては、情報を出力するのにパスワードの照合を必要とせず、従って、正当な使用者が日常的に使用している状況では、正当な使用者は、パスワードの入力（正当な使用者であることを示すための操作）を行うことなく、情報を出力することができる。一方、不操作状態が規定時間以上継続した後においては、情報を出力するのにパスワードの照合を必要とし、従って、置き忘れや紛失をして不操作状態が規定時間以上継続した状況では、正当なパスワードを知らない（正当な使用者でない）第三者は、情報を出力することができない。つまり、正当な使用者が日常的に使用しているときには、正当な使用者であることを示すための操作を必要とせずに、簡素な操作によって情報を出力することができ、かつ、置き忘れや紛失をしたときには、正当な使用者でない第三者によって情報が出力されるのを防止することができる。これにより、正当な使用者の使い勝手を悪くすることなく、正当な使用者でない第三者によって情報が出力されるのを防止することができ、利便性が向上する。
【００１３】
請求項３の発明によれば、規定時間は使用者によって設定されるため、各使用者の携帯型情報機器の日常的な操作頻度（使用頻度）に応じて規定時間を適切に設定することができ、より利便性が向上する。
【発明を実施するための最良の形態】
【００１４】
以下、本発明を具体化した実施形態による携帯型情報機器について図面を参照して説明する。図１は本実施形態による携帯型情報機器である携帯電話機の構成を示す。携帯電話機１は、使用者に携帯されて使用され、無線通信による音声通話を行う機器である。また、この携帯電話機１は、無線通信による音声通話に加え、電子メールの送受信や画像の撮像等を行えるようになっている。送受信した電子メールや撮像した画像などの情報は携帯電話機に記憶され、それら記憶された情報は、使用者の操作によって再生出力できるようになっている。また、この携帯電話機１は、音声の録音も行えるようになっており、録音された情報は、使用者の操作によって再生できるようになっている。
【００１５】
つまり、この携帯電話機１は、使用者の操作によって文書、画像、音声などによる情報を記憶することができ、それら記憶した情報を使用者の操作によって出力できるようになっている。そして、この携帯電話機１は、携帯電話機１が操作（使用）されない不操作状態が規定時間以上継続したときに、それ以降において、記憶されている情報が正当な使用者以外によって出力されるのを防止する情報保護機能を有している。
【００１６】
携帯電話機１は、音声を入力するための音声入力部２と、音声を出力するための音声出力部３と、画像を撮像するための画像撮像部４と、画像を表示するための画像表示部５と、無線通信を行うためのアンテナ６ａを有する無線通信部６と、携帯電話機１を使用するために使用者により操作される操作部７とを備える。
【００１７】
音声入力部２は、音声による情報を入力するための情報入力手段であり、音声出力部３は、音声による情報を出力するための情報出力手段である。画像撮像部４は、画像による情報を入力するための情報入力手段であり、画像表示部５は、画像による情報を出力するための情報出力手段である。無線通信部６は、音声、文書、画像などによる情報を入力するための情報入力手段であると共に、音声、文書、画像などによる情報を出力するための情報出力手段である。操作部７は、携帯電話機１を使用するために使用者により操作される操作手段であり、また、文書による情報を入力するための情報入力手段でもある。
【００１８】
音声入力部２、音声出力部３、画像表示部５、及び操作部７は、筐体８の正面側に設けられており、画像撮像部４は、筺体８の背面側に設けられている。また、無線通信部６のアンテナ６ａは、筺体８の上部に設けられている。
【００１９】
操作部７は、携帯電話機１を使用するために使用者により操作される各種操作キーとして、携帯電話機１の電源をオン／オフする等のために操作される電源スイッチキー１１と、メニュー画面を画像表示部５に表示させる等のために操作されるメニューキー１２と、携帯電話機１の各種機能を選択する等のために操作される機能選択キー１３と、携帯電話機１の各種機能を実行する等のために操作される機能実行キー１４と、画像表示部５に表示される項目を選択する等のために操作されるカーソルキー１５ａ、１５ｂ、１５ｃ、１５ｄと、カーソルキー１５ａ、１５ｂ、１５ｃ、１５ｄにより選択した項目を決定する等のために操作される決定キー１６と、文字、数字、記号を入力する等のために操作される複数の入力キー１７とを有する。
【００２０】
図２は、携帯電話機１の電気的ブロック構成を示す。携帯電話機１は、上述の構成に加え、携帯電話機１を制御するためのＣＰＵ等からなる制御部（情報出力制御手段、情報保護制御手段、規定時間設定手段、機能設定手段、パスワード設定手段）２１と、音声、文書、画像などによる情報が記憶される情報記憶部２２と、携帯電話機１の各種設定を記憶する設定メモリ２３と、時間を計測するタイマ２４とを備える。
【００２１】
情報記憶部２２は、制御部２１による制御のもと、音声、文書、画像などによる情報を記憶する。設定メモリ２３は、制御部２１による制御のもと、正当な使用者であることを示すパスワード、情報保護機能を働かせる状態（ＯＮ）又は働かせない状態（ＯＦＦ）のいずれに設定されているかを示す機能設定データ、操作部７が操作されない不操作状態の継続状態を判定（すなわち情報を保護する必要のある状態であるか否かを判定）するための規定時間、等を記憶する。タイマ２４は、制御部２１による制御のもと、時間を計測する。
【００２２】
操作部７は、上述のように、携帯電話機１を使用するために使用者により操作される各種操作キーを有しており、各種操作キーが操作されることにより、その操作に対応した操作信号が制御部２１へ入力される。
【００２３】
制御部２１は、操作部７から入力される操作信号を基に、操作部７による操作内容を判断し、操作部７の操作を受けて、音声通話、電子メールの送受信、画像撮像部４による画像の撮像等の動作を制御する。また、制御部２１は、操作部７の操作を受けて、音声通話における音声、送受信した電子メールの文書、画像撮像部４により撮像した画像等の情報を情報記憶部２２に記憶する情報記憶動作、及び、これら情報記憶部２２に記憶した情報を出力（音声については音声出力部３に音声出力し、文書及び画像については画像表示部５に表示出力）する情報出力動作を制御する。
【００２４】
また、制御部２１は、操作部７の操作を受けて、情報保護機能を働かせる状態（ＯＮ）又は働かせない状態（ＯＦＦ）に設定する機能設定動作、不操作状態の継続状態を判定するための規定時間を設定する規定時間設定動作、携帯電話機１の正当な使用者を識別するためのパスワードを設定するパスワード設定動作を制御する。
【００２５】
これらの各設定動作は、使用者による操作部７を用いた各設定操作を受けて行われる。このとき、制御部２１は、各設定を行うためのメニュー画面を画像表示部５に表示させる。そして、情報保護機能については、使用者によって操作部７により情報保護機能を働かせる状態か又は働かせない状態かのいずれかを選択させ、使用者により選択された状態を設定して、その状態を示す機能設定データを設定メモリ２３に記憶する。また、規定時間については、使用者によって操作部７により例えば１２時間、１８時間、２４時間、４８時間のいずれかを選択させ、使用者により選択された時間を規定時間として設定して設定メモリ２３に記憶する。また、パスワードについては、使用者によって操作部７により任意の文字列を入力させるように促し、使用者によって入力された文字列を正当な使用者を識別するためのパスワードとして設定して設定メモリ２３に記憶する。
【００２６】
図３は、上記携帯電話機１の制御部２１による情報出力動作のフローチャートを示す。まず、携帯電話機１の制御部２１は、設定メモリ２３に記憶されている機能設定データを基に、情報保護機能がＯＮ（情報保護機能を働かせる状態）に設定されているか否かを判断する（＃１）。
【００２７】
情報保護機能がＯＮ（情報保護機能を働かせる状態）に設定されている場合には（＃１でＹＥＳ）、制御部２１は、操作部７からの操作信号及びタイマ２４の出力を基に、操作部７が操作されない不操作状態の継続時間を測定し、操作部７が操作されない不操作状態が設定メモリ２３に記憶されている規定時間継続したか否かを判断する（＃２）。
【００２８】
そして、制御部２１は、不操作状態が規定時間以上継続すれば（＃２でＹＥＳ）、照合フラグをＯＮに設定する（＃３）。なお、照合フラグは、情報記憶部２２に記憶されている情報を出力するのにパスワードの照合を必要とするか否かを示すフラグであり、初期状態ではＯＦＦに設定されている。
【００２９】
つまり、制御部２１は、不操作状態が規定時間以上継続していないときには（＃２でＮＯ）、携帯電話機１が正当な使用者によって日常的に使用されている状態、すなわち情報記憶部２２に記憶されている情報を保護する必要のない状態であるとして、照合フラグをＯＦＦ（情報記憶部２２に記憶されている情報を出力するのにパスワードの照合を必要としない状態）に設定された状態に維持し、一方、不操作状態が規定時間以上継続したときには（＃２でＹＥＳ）、携帯電話機１が置き忘れや紛失された状態、すなわち情報記憶部２２に記憶されている情報を保護する必要のある状態であるとして、照合フラグをＯＮ（情報記憶部２２に記憶されている情報を出力するのにパスワードの照合を必要とする状態）に設定する（＃３）。
【００３０】
そして、情報保護機能がＯＮ（情報保護機能を働かせる状態）に設定されている場合に（＃１でＹＥＳ）、操作部７によって情報を出力するための情報出力操作（画像撮像部４により撮像して記憶されている画像を画像表示部５に表示する操作、送受信した電子メールを画像表示部５に表示する操作、録音されている音声を音声出力部３から出力する操作など）がなされると（＃４でＹＥＳ）、照合フラグがＯＮに設定されているか否か（すなわち情報記憶部２２に記憶されている情報を保護する必要にある状態か否かを）を判断する（＃５）。
【００３１】
ここで、照合フラグがＯＦＦ（情報記憶部２２に記憶されている情報を出力するのにパスワードの照合を必要としない状態）に設定されていれば（＃５でＮＯ）、制御部２１は、使用者に対してパスワードの入力を要求することなく（すなわちパスワードの照合を行うことなく）、情報記憶部２２に記憶されている情報を読出して出力する（＃６）。
【００３２】
また、照合フラグがＯＮ（情報記憶部２２に記憶されている情報を出力するのにパスワードの照合を必要とする状態）に設定されていれば（＃５でＹＥＳ）、制御部２１は、使用者に対してパスワードの入力を要求する（＃７）。パスワードの入力の要求は、例えば、使用者にパスワードを入力するように促す旨のメッセージを画像表示部５に表示することにより行われる。その後、制御部２１は、使用者によって操作部７により入力されたパスワードを、設定メモリ２３に記憶されているパスワードと照合して、入力されたパスワードが正当なパスワードであるか否かを判断する（＃８）。
【００３３】
そして、入力されたパスワードが正当なパスワードであれば（＃９でＹＥＳ）、制御部２１は、情報記憶部２２に記憶されている情報を読出して出力する（＃１０）。そして、制御部２１は、照合フラグをＯＦＦ（情報記憶部２２に記憶されている情報を出力するのにパスワードの照合を必要としない状態）に設定し（＃１１）、上記＃１以降の処理を繰り返す。
【００３４】
一方、入力されたパスワードが正当なパスワードでなければ（＃９でＮＯ）、制御部２１は、情報記憶部２２に記憶されている情報を出力せず、エラー報知をする（＃１２）。エラー報知は、例えば、正当なパスワードが入力されなかったので情報が出力されない旨のメッセージを画像表示部５に表示することにより行われる。そして、制御部２１は、照合フラグをＯＮ（情報記憶部２２に記憶されている情報を出力するのにパスワードの照合を必要とする状態）に設定された状態に維持して、上記＃１以降の処理を繰り返す。
【００３５】
上記＃９において正当なパスワードでなかった場合に、照合フラグをＯＮに設定された状態に維持して、上記＃１以降の処理を繰り返すことにより、その後においても、正当なパスワードが入力されるまで、情報記憶部２２に記憶されている情報が出力されない状態になる。そして、上記＃９において正当なパスワードであった場合に、照合フラグをＯＦＦに設定して、上記＃１以降の処理を繰り返すことにより、その後、再度、操作部７が操作されない不操作状態が規定時間以上継続するまでは、情報記憶部２２に記憶されている情報を出力するのにパスワードの照合が必要とされない状態になる。
【００３６】
また、情報保護機能がＯＦＦ（情報保護機能を働かせない状態）に設定されている場合には（＃１でＮＯ）、操作部７によって情報を出力するための情報出力操作がなされると（＃１３でＹＥＳ）、制御部２１は、使用者に対してパスワードの入力を要求することなく（すなわちパスワードの照合を行うことなく）、情報記憶部２２に記憶されている情報を読出して出力する（＃６）。
【００３７】
なお、情報保護機能は、上述のように使用者によってＯＮ（働かせる状態）又はＯＦＦ（働かせない状態）のいずれかに設定されるが、情報保護機能のＯＮからＯＦＦへの設定変更は、照合フラグがＯＦＦに設定されているときに可能とされ、照合フラグがＯＮに設定されているときには禁止される。これは、照合フラグがＯＮに設定されている状態は、情報記憶部２２に記憶されている情報を保護する必要のある状態であり、情報保護機能そのものをＯＦＦにすることにより、パスワードの照合を行うことなく情報が出力されるのを防止するためである。
【００３８】
このような構成の携帯電話機１によれば、情報保護機能を働かせる状態に設定されていれば、不操作状態が規定時間（例えば２４時間）以上継続する前においては、情報記憶部２２に記憶されている情報を出力するのにパスワードの照合を必要とせず、従って、正当な使用者が日常的に使用している状況では、正当な使用者は、パスワードの入力（正当な使用者であることを示すための操作）を行うことなく、情報記憶部２２に記憶されている情報を出力することができ、一方、不操作状態が規定時間以上継続した後においては、情報記憶部２２に記憶されている情報を出力するのにパスワードの照合を必要とし、従って、置き忘れや紛失をして不操作状態が規定時間以上継続した状況では、正当なパスワードを知らない（正当な使用者でない）第三者は、情報記憶部２２に記憶されている情報を出力することができない。
【００３９】
つまり、このような構成の携帯電話機１によれば、使用者が情報保護機能を働かせる状態に設定しておけば、正当な使用者が日常的に使用しているときには、正当な使用者であることを示すための操作を必要とせずに、簡素な操作によって、情報記憶部２２に記憶されている情報を出力することができ、かつ、置き忘れや紛失をしたときには、情報記憶部２２に記憶されている情報が正当な使用者でない第三者によって出力されるのを防止することができる。これにより、正当な使用者の使い勝手を悪くすることなく、情報記憶部２２に記憶されている情報が正当な使用者でない第三者によって出力されるのを防止することができ、利便性が向上する。
【００４０】
しかも、操作部７が操作されない不操作状態の継続状態を判定（すなわち情報を保護する必要のある状態であるか否かを判定）するための規定時間は使用者によって設定されるため、各使用者の携帯電話機１の日常的な操作頻度（使用頻度）に応じて規定時間を適切に設定することができ、より利便性が向上する。さらに、使用者によって情報保護機能を働かせない状態に設定することもでき、より利便性が向上する。
【００４１】
なお、本発明は、上記各実施形態の構成に限られず、種々の変形が可能である。例えば、  情報保護機能において、不操作状態が規定時間以上継続した場合、正当なパスワードが入力されるまで、携帯電話機の全ての機能の使用を禁止し、正当なパスワードが入力されると、使用の禁止を解除することにより、情報記憶部に記憶されている情報が正当な使用者以外によって出力されるのを防止するようにしてもよい。また、不操作状態の継続状態を判定するための規定時間は、使用者により任意の時間に設定されるようにしてもよい。さらに、パスワードは、使用者の操作により設定されるものに限られず、携帯電話機の個々の機体毎に予め設定されたものであってもよい。また、本発明は、携帯電話機に限られず、ビデオカメラ、デジタルスチルカメラ、音声レコーダ等の携帯型情報機器にも適用可能である。
【図面の簡単な説明】
【００４２】
【図１】本発明の一実施形態に係る携帯電話機の概略構成を示す正面側から見た平面図。
【図２】同携帯電話機の電気的ブロック構成図。
【図３】同携帯電話機の情報出力動作を示すフローチャート。
【符号の説明】
【００４３】
１    携帯電話機（携帯型情報機器）
２    音声入力部（情報入力手段）
３    音声出力部（情報出力手段）
４    画像撮像部（情報入力手段）
５    画像表示部（情報出力手段）
６    無線通信部（情報入力手段、情報出力手段）
６ａ    アンテナ
７    操作部（操作手段、情報入力手段）
８    筺体
１１    電源スイッチキー
１２    メニューキー
１３    機能選択キー
１４    機能実行キー
１５ａ、１５ｂ、１５ｃ、１５ｄ    カーソルキー
１６    決定キー
１７    入力キー
２１    制御部（情報出力制御手段、情報保護制御手段、規定時間設定手段、機能設定手段、パスワード設定手段）
２２    情報記憶部（情報記憶手段）
２３    設定メモリ
２４    タイマ
【図１】
2008228222.tif 000003
【図２】
2008228222.tif 000004
【図３】
2008228222.tif 000005